【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
光出射部と、前記光出射部から発せられた光を眼底上で走査するために前記光の進行方向を変える走査部と、被検眼と前記走査部との間に配置され、前記走査部から導かれた前記光が前記走査部の動作に伴って旋回される旋回点を形成する対物光学系と、を含み、前記旋回点を通過して被検眼眼底に導かれた前記光による眼底からの光を用いて被検眼の眼底の画像を撮像する眼底撮影装置において、
前記光出射部は、互いに異なる複数の波長の光を出射し、
前記対物光学系は、前記走査部から導かれる前記光を前記対物光学系の光軸へ向けて折り曲げることによって、眼底における前記光の走査範囲を全角９０°以上とするものであり、
前記対物光学系は、更に、前記複数の波長の光に関して前記対物光学系で生じる倍率色収差を補正する接合レンズを少なくとも含むことを特徴とする眼底撮影装置。
【請求項２】
前記接合レンズは、材料の分散が互いに異なる凹レンズと凸レンズとを１枚ずつ貼り合せて形成されており、凸レンズに対し、凹レンズが被検眼側に配置されることを特徴とする請求項１記載の眼底撮影装置。
【請求項３】
前記接合レンズは、材料の分散が互いに異なる凹レンズと凸レンズとを１枚ずつ貼り合せて形成されており、凹レンズに対し、凸レンズが被検眼側に配置されることを特徴とする請求項１記載の眼底撮影装置。
【請求項４】
前記光を出射する光出射部と、前記光出射部から発せられた前記光を眼底上で走査するために前記光の進行方向を変える走査部と、被検眼と前記走査部との間に配置され、前記走査部から導かれた前記光が前記走査部の動作に伴って旋回される旋回点を形成する対物光学系と、を含み、前記旋回点を通過して被検眼眼底に導かれた前記光による眼底からの光を用いて被検眼の眼底の画像を撮像する眼底撮影装置において、
前記対物光学系は、前記走査部から導かれる前記光を前記対物光学系の光軸へ向けて折り曲げることによって、眼底における前記光の走査範囲を全角９０°以上とするものであり、
前記対物光学系は、少なくとも一方のレンズ面が非球面形状に形成されることによって前記旋回転における結像の球面収差を抑制する非球面レンズを、前記対物光学系において最も被検眼側に配置されたレンズとして備えることを特徴とする眼底撮影装置。
【請求項５】
前記非球面レンズにおいて非球面形状に形成される前記一方のレンズ面は、非球面レンズの光軸から離れた位置ほど曲率半径が大きくなるような曲面で形成されることを特徴とする請求項４記載の眼底撮影装置。
【請求項６】
前記非球面レンズにおいて前記被検眼側レンズ面は、所要作動距離に対して１０倍以上の曲率半径で形成されることを特徴とする請求項５又は６記載の眼底撮影装置。
【請求項７】
互いに異なる複数の波長の光を出射する光出射部と、前記光出射部から発せられた光を眼底上で走査するために前記光の進行方向を変える走査部と、被検眼と前記走査部との間に配置され、前記走査部から導かれた前記光が前記走査部の動作に伴って旋回される第１旋回点を形成する第１対物光学系と、を含み、且つ、前記第１旋回点を通過して被検眼眼底に導かれた前記光による眼底からの光を用いて被検眼の眼底の画像を撮像する眼底撮影装置、
における被検者側筐体面に装着されて前記眼底の画像の撮像画角を広角化させる広角レンズアタッチメントであって、
検査窓を有する前記筐体面に該アタッチメントが装着された装着状態において、前記第１旋回点を通過した前記光が前記走査部の動作に伴って更に旋回される第２旋回点を形成する第２対物光学系が設けられており、
前記第２対物光学系は、前記複数の波長の光に関して前記第１対物光学系で生じる倍率色収差を少なくとも補正する接合レンズを少なくとも含むことを特徴とする広角レンズアタッチメント。
【請求項８】
光出射部と、光出射部から発せられた前記光を眼底上で走査するために前記光の進行方向を変える走査部と、被検眼と前記走査部との間に配置され、前記走査部から導かれた前記光が前記走査部の動作に伴って旋回される第１旋回点を形成する第１対物光学系と、を含み、且つ、前記第１旋回点を通過して被検眼眼底に導かれた前記光による眼底からの光を用いて被検眼の眼底の画像を撮像する眼底撮影装置、
における被検者側筐体面に装着されて前記眼底の画像の撮像画角を広角化させる広角レンズアタッチメントであって、
検査窓を有する前記筐体面に該アタッチメントが装着された装着状態において、前記第１旋回点を通過した前記光が前記走査部の動作に伴って更に旋回される第２旋回点を形成する第２対物光学系が設けられており、
前記第２対物光学系は、少なくとも一方のレンズ面が非球面形状に形成されることによって前記旋回転における結像の球面収差を抑制する非球面レンズを、前記対物光学系において最も被検眼側に配置されたレンズとして備えることを特徴とする広角レンズアタッチメント。
【請求項９】
光出射部と、光出射部から発せられた前記光を眼底上で走査するために前記光の進行方向を変える走査部と、被検眼と前記走査部との間に配置され、前記走査部から導かれた前記光が前記走査部の動作に伴って旋回される第１旋回点を形成する第１対物光学系と、を含み、且つ、前記第１旋回点を通過して被検眼眼底に導かれた前記光による眼底からの光を用いて被検眼の眼底の画像を撮像する眼底撮影装置、
における被検者側筐体面に装着されて前記眼底の画像の撮像画角を広角化させる広角レンズアタッチメントであって、
検査窓を有する前記筐体面に該アタッチメントが装着された装着状態において、前記第１旋回点を通過した前記光が前記走査部の動作に伴って更に旋回される第２旋回点を形成する第２対物光学系が設けられており、
前記第２対物光学系は、前記広角レンズアタッチメントの装着状態と非装着状態とのそれぞれで、前記被検眼へ入射する光の視度の差を抑制する、視度補正部材を備えることを特徴とする広角レンズアタッチメント。
【手続補正２】
【補正対象書類名】明細書
【補正対象項目名】０００６
【補正方法】変更
【補正の内容】
【０００６】
（１）本発明の第１態様に係る眼底撮影装置は、光出射部と、前記光出射部から発せられた光を眼底上で走査するために前記光の進行方向を変える走査部と、被検眼と前記走査部との間に配置され、前記走査部から導かれた前記光が前記走査部の動作に伴って旋回される旋回点を形成する対物光学系と、を含み、前記旋回点を通過して被検眼眼底に導かれた前記光による眼底からの光を用いて被検眼の眼底の画像を撮像する眼底撮影装置において、前記光出射部は、互いに異なる複数の波長の光を出射し、前記対物光学系は、前記走査部から導かれる前記光を前記対物光学系の光軸へ向けて折り曲げることによって、眼底における前記光の走査範囲を全角９０°以上とするものであり、前記対物光学系は、更に、前記複数の波長の光に関して前記対物光学系で生じる倍率色収差を補正する接合レンズを少なくとも含む。
（２）本発明の第２態様に係る眼底撮影装置は、前記光を出射する光出射部と、前記光出射部から発せられた前記光を眼底上で走査するために前記光の進行方向を変える走査部と、被検眼と前記走査部との間に配置され、前記走査部から導かれた前記光が前記走査部の動作に伴って旋回される旋回点を形成する対物光学系と、を含み、前記旋回点を通過して被検眼眼底に導かれた前記光による眼底からの光を用いて被検眼の眼底の画像を撮像する眼底撮影装置において、前記対物光学系は、前記走査部から導かれる前記光を前記対物光学系の光軸へ向けて折り曲げることによって、眼底における前記光の走査範囲を全角９０°以上とするものであり、前記対物光学系は、少なくとも一方のレンズ面が非球面形状に形成されることによって前記旋回転における結像の球面収差を抑制する非球面レンズを、前記対物光学系において最も被検眼側に配置されたレンズとして備える。
【手続補正３】
【補正対象書類名】明細書
【補正対象項目名】０００７
【補正方法】変更
【補正の内容】
【０００７】
（３）本発明の第３態様に係る広角レンズアタッチメントは、互いに異なる複数の波長の光を出射する光出射部と、前記光出射部から発せられた光を眼底上で走査するために前記光の進行方向を変える走査部と、被検眼と前記走査部との間に配置され、前記走査部から導かれた前記光が前記走査部の動作に伴って旋回される第１旋回点を形成する第１対物光学系と、を含み、且つ、前記第１旋回点を通過して被検眼眼底に導かれた前記光による眼底からの光を用いて被検眼の眼底の画像を撮像する眼底撮影装置、における被検者側筐体面に装着されて前記眼底の画像の撮像画角を広角化させる広角レンズアタッチメントであって、検査窓を有する前記筐体面に該アタッチメントが装着された装着状態において、前記第１旋回点を通過した前記光が前記走査部の動作に伴って更に旋回される第２旋回点を形成する第２対物光学系が設けられており、前記第２対物光学系は、前記複数の波長の光に関して前記第１対物光学系で生じる倍率色収差を少なくとも補正する接合レンズを少なくとも含む。
（４）本発明の第４態様に係る広角レンズアタッチメントは、光出射部と、光出射部から発せられた前記光を眼底上で走査するために前記光の進行方向を変える走査部と、被検眼と前記走査部との間に配置され、前記走査部から導かれた前記光が前記走査部の動作に伴って旋回される第１旋回点を形成する第１対物光学系と、を含み、且つ、前記第１旋回点を通過して被検眼眼底に導かれた前記光による眼底からの光を用いて被検眼の眼底の画像を撮像する眼底撮影装置、における被検者側筐体面に装着されて前記眼底の画像の撮像画角を広角化させる広角レンズアタッチメントであって、検査窓を有する前記筐体面に該アタッチメントが装着された装着状態において、前記第１旋回点を通過した前記光が前記走査部の動作に伴って更に旋回される第２旋回点を形成する第２対物光学系が設けられており、前記第２対物光学系は、少なくとも一方のレンズ面が非球面形状に形成されることによって前記旋回転における結像の球面収差を抑制する非球面レンズを、前記対物光学系において最も被検眼側に配置されたレンズとして備える。
（５）本発明の第５態様に係る広角レンズアタッチメントは、光出射部と、光出射部から発せられた前記光を眼底上で走査するために前記光の進行方向を変える走査部と、被検眼と前記走査部との間に配置され、前記走査部から導かれた前記光が前記走査部の動作に伴って旋回される第１旋回点を形成する第１対物光学系と、を含み、且つ、前記第１旋回点を通過して被検眼眼底に導かれた前記光による眼底からの光を用いて被検眼の眼底の画像を撮像する眼底撮影装置、における被検者側筐体面に装着されて前記眼底の画像の撮像画角を広角化させる広角レンズアタッチメントであって、検査窓を有する前記筐体面に該アタッチメントが装着された装着状態において、前記第１旋回点を通過した前記光が前記走査部の動作に伴って更に旋回される第２旋回点を形成する第２対物光学系が設けられており、前記第２対物光学系は、前記広角レンズアタッチメントの装着状態と非装着状態とのそれぞれで、前記被検眼へ入射する光の視度の差を抑制する、視度補正部材を備える。